(57)【特許請求の範囲】
【請求項１】
短小の基筒１から案内縦長孔３を有する適数の案内起立片２を突設し、該基筒１乃至案内起立片２の外側に、内周面に螺旋溝５を形成した回転筒４の下部を回転自在に嵌合させ、該回転筒４の内側に、棒状化粧品を起立させる昇降筒６を摺動自在に嵌合させるとともに、該昇降筒には外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記螺旋溝５へ摺動自在に挿入させたことを特徴とする棒状化粧品繰出し容器。
【請求項２】
短小の基筒１から案内縦長孔３を有する適数の案内起立片２を突設し、該基筒１乃至案内起立片２の外側に、内周面に螺旋溝５を形成した回転筒４の下部を回転自在に嵌合させ、該回転筒４の内側に、棒状化粧品を起立させる昇降筒６を摺動自在に嵌合させるとともに、該昇降筒には外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記螺旋溝５へ摺動自在に挿入させ、而して、前記回転筒４は、合成樹脂製胴筒９の上端部に金属製口筒１０を、また、その合成樹脂製胴筒９の下端部に金属製補強筒１１をそれぞれ嵌合一体化させて形成したことを特徴とする棒状化粧品繰出し容器。
【請求項３】
短小の基筒１から案内縦長孔３を有する適数の案内起立片２を突設し、該基筒１乃至案内起立片２の外側に、内周面に螺旋溝５を形成した回転筒４の下部を回転自在に嵌合させ、該回転筒４の内側に、棒状化粧品を起立させる昇降筒６を摺動自在に嵌合させるとともに、該昇降筒には外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記螺旋溝５へ摺動自在に挿入させ、而して、前記回転筒４は、合成樹脂製胴筒９の外周全般に一の金属製化粧筒１２を嵌合一体化させて形成したことを特徴とする棒状化粧品繰出し容器。
【請求項４】
前記回転筒４の外周下部に外装筒１３を回転自在に嵌合乃至遊嵌させて、該外装筒の下端を前記基筒に連結させ、かつ、該外装筒の上端にキャップ１４を着脱自在に嵌合させたことを特徴とする請求項１、請求項２又は請求項３に記載した棒状化粧品繰出し容器。
【発明の詳細な説明】
【０００１】
【産業上の利用分野】
本発明は、中皿の径を拡張させた棒状化粧品繰出し容器に関する。
【０００２】
【従来の技術】
従来のこの種の容器に、実開平３‐１２３４２３号公報のものがある。この棒状化粧品繰出し容器は、案内縦長孔を有する案内筒の外側に、内周面に螺旋溝を形成した回転筒を回転自在に嵌合させるとともに、その案内筒の内側に、棒状化粧品を起立させる昇降筒（いわゆる中皿）を摺動自在に嵌合させ、該昇降筒の外面の適所から突子を突設し、かつ、該突子を前記案内縦長孔に摺動自在に貫通させて前記螺旋溝に摺動自在に挿入させ、もって、回転筒の左右の回転で昇降筒を昇降させる螺旋昇降手段を構成している。
なお、この場合、案内筒の基端部に、上縁から複数の圧接片を突設した板ばね製のリングを嵌着し、それらの圧接片を回転筒へ摺動自在に圧接させて、回転筒に一定の制動を与え、回転筒の不安定な自由動を制限している。
【０００３】
【発明が解決しようとする課題】
しかし、そのような構造では、昇降筒は、回転筒と案内筒とで二重に包まれるため、その径がかなり小さくなり、また、これに伴い、起立させる棒状化粧品も小径となって、その量が容器の大きさの割に少なくなる欠点があった。
そこで、請求項１乃至請求項４の発明は、かかる欠点を除去しようとするものであり、これに加えて、請求項２の発明は、回転筒を薄肉で、強靱で、美麗で、かつ、経済的なものにしようとするものであり、請求項３の発明は、回転筒を薄肉で、より強靱で、美麗なものにしようとするものであり、更に、請求項４の発明は、美麗な外装を付し、かつ、美麗なキャップを装備させようとするものである。
【０００４】
【課題を解決するための手段】
上記目的達成のため、請求項１の発明は、短小の基筒１から案内縦長孔３を有する適数の案内起立片２を突設し、該基筒１乃至案内起立片２の外側に、内周面に螺旋溝５を形成した回転筒４の下部を回転自在に嵌合させ、該回転筒４の内側に、棒状化粧品を起立させる昇降筒６を摺動自在に嵌合させるとともに、該昇降筒には外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記螺旋溝５へ摺動自在に挿入させたことを特徴とする。
【０００５】
請求項２発明は、短小の基筒１から案内縦長孔３を有する適数の案内起立片２を突設し、該基筒１乃至案内起立片２の外側に、内周面に螺旋溝５を形成した回転筒４の下部を回転自在に嵌合させ、該回転筒４の内側に、棒状化粧品を起立させる昇降筒６を摺動自在に嵌合させるとともに、該昇降筒には外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記螺旋溝５へ摺動自在に挿入させ、而して、前記回転筒４は、合成樹脂製胴筒９の上端部に金属製口筒１０を、また、その合成樹脂製胴筒９の下端部に金属製補強筒１１をそれぞれ嵌合一体化させて形成したことを特徴とする。
【０００６】
請求項３の発明は、短小の基筒１から案内縦長孔３を有する適数の案内起立片２を突設し、該基筒１乃至案内起立片２の外側に、内周面に螺旋溝５を形成した回転筒４の下部を回転自在に嵌合させ、該回転筒４の内側に、棒状化粧品を起立させる昇降筒６を摺動自在に嵌合させるとともに、該昇降筒には外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記螺旋溝５へ摺動自在に挿入させ、而して、前記回転筒４は、合成樹脂製胴筒９の外周全般に一の金属製化粧筒１２を嵌合一体化させて形成したことを特徴とする棒状化粧品繰出し容器。
【０００７】
また、請求項４の発明は、請求項１、請求項２又は請求項３に記載した棒状化粧品繰出し容器にあって、前記回転筒４の外周下部に外装筒１３を回転自在に嵌合乃至遊嵌させて、該外装筒の下端を前記基筒に連結させ、かつ、該外装筒の上端にキャップ１４を着脱自在に嵌合させたことを特徴とする。
【０００８】
【作用】
如上の構成であるから、いずれの発明にあっても、基筒１に対し回転筒４を右又は左に回転させれば、昇降筒６の突子８が案内起立片２の案内縦長孔３に案内されつつ回転筒４の螺旋溝５内を昇降摺動し、その昇降筒６の上端から起立させた棒状化粧品Ａが回転筒４から突出し又は回転筒４内に没入する。また、その昇降筒６は、回転筒４の内面に接するまで大径化し、棒状化粧品Ａも大径化可能となる。
【０００９】
而して、請求項２の発明にあっては、回転筒４において、上下の金属製口筒１０と金属製補強筒１１は、合成樹脂製胴筒９の上端部と下端部を補強して強靱なものにし、結果として、回転筒４の薄肉化を可能にするとともに、各部の所要強度の確保を合理的に可能にし、また、その金属製口筒１０は、回転筒４の外周下部に外装筒１３を被せたときに、外観を表出部分のみで合理的かつ経済的に美化する。
【００１０】
請求項３の発明にあっては、回転筒４において、金属製化粧筒１２は、合成樹脂製胴筒９を全体的に補強して、より強靱なものにし、回転筒４の薄肉化を可能にするとともに、回転筒４の外観を全体的に美化する。
【００１１】
請求項４の発明にあっては、外装筒１３とキャップ１４は、容器全体における美麗な外観を可能にする。
【００１２】
【実施例】
図１乃至図６は、請求項１、請求項２及び請求項４の発明に係る棒状化粧品繰出し容器の実施例を示している。
図において、１は、上端から案内縦長孔３を有する左右一対の案内起立片２を突設した短小の基筒、４は、該基筒１乃至案内起立片２の外側に下部を回転自在に嵌合させ、該下部の内周面に左右一対の螺旋溝５を形成した回転筒である。
６は、上記回転筒４の内側に摺動自在に嵌合させるとともに、外面に前記案内起立片２と対応させて縦溝７を形成して、該縦溝とその案内起立片２とを摺動自在に嵌合させ、かつ、その縦溝７内の下部から突子８を突設して、該突子を前記案内縦長孔３に摺動自在に貫通させて前記案内縦長孔３へ摺動自在に挿入させた昇降筒であり、棒状化粧品Ａを起立させるいわゆる中皿である。
１３は、前記回転筒４の外周下部にわずかな隙間を介して回転自在に遊嵌させて、内側へ折り返した下端を前記基筒１の下端へ連結させた外装筒、１４は、該外装筒の上端に着脱自在に嵌合させたキャップである。
なお、特に金属製と記載するもの以外は、主として合成樹脂により成形した部材を用いるものとする。
【００１３】
基筒１は、上記案内起立片２を突設した所定外周径の基筒上端部１５より下の部分すなわち基筒下部１６をやや小径に形成し、その基筒上端部１５の外周に係合横溝１７を形成し、該係合横溝の直下から折り下げ状態で複数の弾性片１８を垂設し、基筒下部１６の外周に多数の縦突条１９を、また、内周に係止横突条２０を周設している。
回転筒４は、合成樹脂製胴筒９の上端部に金属製口筒１０を、また、その合成樹脂製胴筒９の下端部に金属製補強筒１１をそれぞれ嵌合一体化させており、その合成樹脂製胴筒９の下端に一対の係合突片２１を垂設して、該係合突片を前記基筒上端部１５の係合横溝１７に回転自在に係合させ、上記金属製補強筒１１の下端を係合突片２１より更に下方へ伸出させて、該伸出部を上記基筒１の複数の弾性片１８の外側へその弾性に抗して摩擦摺動自在に圧接嵌合させている。合成樹脂製胴筒９の上端部と下端部の外周は、やや小径に形成して金属製口筒１０と金属製補強筒１１を嵌合させ、その金属製口筒１０の上部すなわち嵌合部分より上の部分は、内側へ向けてやや肉厚に形成し、内径を合成樹脂製胴筒９の内径とほぼ同等にしている。
昇降筒６は、基筒１の案内起立片２よりも少し長くし、下降限でも上端部がその案内起立片２の上に位置するようにして、該上端部の全外周を回転筒４の内周に接するようにし、該上端部から棒状化粧品Ａを起立させるようにしている。
かかる構成であるから、基筒１に対し回転筒４を右又は左に回転させると、昇降筒６の突子８が案内起立片２の案内縦長孔３に案内されつつ回転筒４の螺旋溝５により上方又は下方へ移動されて、昇降筒６が回転筒４内を昇降動され、その昇降筒６の上端から起立する棒状化粧品Ａが出没する。
【００１４】
図７乃至図１１は、請求項１、請求項３及び請求項４の発明に係る棒状化粧品繰出し容器の実施例を示している。
この場合は、前例のものにおいて、回転筒４の金属製口筒１０と金属製補強筒１１とを一連のもの、つまり、一の金属製化粧筒１２として合成樹脂製胴筒９の外周に嵌合一体化させている。したがって、合成樹脂製胴筒９の外周は、全体を通じてやや小径に形成している。
その他については、前例と同じにつき、前例をもって説明を省略する。
【００１５】
【発明の効果】
請求項１乃至請求項４の発明によれば、回転筒４の内側に棒状化粧品を起立させる昇降筒６を摺動自在に嵌合させるとともに、該昇降筒の外面に形成した縦溝７に基筒１から突設した案内起立片２を摺動自在に嵌合させ、かつ、その縦溝７内の下部から突設した突子８をその案内起立片２の案内縦長孔３に摺動自在に貫通させて回転筒４内周面の螺旋溝５へ摺動自在に挿入させているので、昇降筒６を回転筒４の内面に接するまで大径化させることができ、したがって、昇降筒６から起立させる棒状化粧品Ａも大径化させることができて、その量を多量化させることができ、一方、従来品と棒状化粧品Ａの径を同じとするならば、容器全体の径を細くすることができる。
【００１６】
これに加えて、請求項２の発明によれば、合成樹脂製胴筒９の上端部に金属製口筒１０を、また、その合成樹脂製胴筒９の下端部に金属製補強筒１１をそれぞれ嵌合一体化させて回転筒４を形成しているので、回転筒を薄肉で、強靱で、美麗で、かつ、経済的なものにすることができる。
【００１７】
また、請求項３の発明によれば、合成樹脂製胴筒９の外周全般に一の金属製化粧筒１２を嵌合一体化させて回転筒４を形成しているので、回転筒を薄肉で、かつ、より強靱で、美麗なものにすることができる。
【００１８】
更に、請求項４の発明によれば、請求項１、請求項２又は請求項３に記載した棒状化粧品繰出し容器にあって、回転筒４の外周下部に外装筒１３を回転自在に嵌合乃至遊嵌させて、該外装筒の下端を前記基筒に連結させ、該外装筒の上端にキャップ１４を着脱自在に嵌合させているので、美麗な外装とキャップを装備させることができる。
【図面の簡単な説明】
【図１】請求項１、請求項２及び請求項４の発明に係る棒状化粧品繰出し容器の実施例を示す昇降筒下降限における縦断正面図である。
【図２】同縦断側面図である。
【図３】同例の昇降筒上昇限における側面図である。
【図４】同縦断正面図である。
【図５】同例の分解截断側面図である。
【図６】同例の分解斜視図である。
【図７】請求項１、請求項３及び請求項４の発明に係る棒状化粧品繰出し容器の他の実施例を示す昇降筒下降限における縦断正面図である。
【図８】同例の昇降筒上昇限における側面図である。
【図９】同縦断正面図である。
【図１０】同例の分解截断側面図である。
【図１１】同例の分解斜視図である。
【符号の説明】
１…基筒                        ２…案内起立片
３…案内縦長孔                  ４…回転筒
５…螺旋溝                      ６…昇降筒
７…縦溝                        ８…突子
９…合成樹脂製胴筒              １０…金属製口筒
１１…金属製補強筒                １２…金属製化粧筒
１３…外装筒                      １４…キャップ
１５…基筒上端部                  １６…基筒下部
１７…係合横溝                    １８…弾性片
１９…縦突条                      ２０…係止横突条
２１…係合突片                    Ａ…棒状化粧品
【図１】
0003580888.tif 000002
【図２】
0003580888.tif 000003
【図３】
0003580888.tif 000004
【図４】
0003580888.tif 000005
【図５】
0003580888.tif 000006
【図６】
0003580888.tif 000007
【図７】
0003580888.tif 000008
【図８】
0003580888.tif 000009
【図９】
0003580888.tif 000010
【図１０】
0003580888.tif 000011
【図１１】
0003580888.tif 000012